(57)【要約】【課題】  広画角、高倍率で全ズーム範囲に渡り高い光学性能を有するズームレンズ及びそれを有する撮像装置を提供すること。【解決手段】  ズームレンズは、物体側から像側へ順に、変倍のためには不動の正の第１群、変倍に際して移動する負の第２群、変倍に際して移動する正の第３群と、最も像側に変倍のためには不動の正の第Ｒ群を有し、変倍に際して隣り合う各レンズ群の間隔が変化し、第Ｒ群は、第Ｒ群中の物体側から第ｉ番目のレンズにおける近軸追跡上の軸上光束高さと瞳近軸光束高さとの比が所定の関係を満足する面を含む第Ｒ１群と、それ以外の第Ｒ２群とから構成され、第Ｒ１群は部分分散比とアッベ数が所定の関係を満たす正レンズ及び負レンズを含み、第Ｒ２群は第Ｒ群の焦点距離、部分分散比とアッベ数と焦点距離が所定の関係を満たす正レンズを含み、第Ｒ群の全正レンズと全負レンズの部分分散比の平均値、アッべ数の平均値を適切に設定する。【選択図】  図１
2018004665.tif 000002
【特許請求の範囲】
【請求項１】
物体側から像側へ順に、変倍のためには移動しない正の屈折力の第１レンズ群、変倍に際して移動する負の屈折力の第２レンズ群、変倍に際して移動する正の屈折力の第３レンズ群と、最も像側に変倍のためには移動しない正の屈折力の第Ｒレンズ群を有し、変倍に際して隣り合う各レンズ群の間隔が変化するズームレンズであって、
前記第Ｒレンズ群中の物体側から第ｉ番目のレンズにおける近軸追跡上の軸上光束高さをｈｉ、瞳近軸光束高さをｈｂｉとしたとき、前記第Ｒレンズ群は、
ｈｂｉ／ｈｉ＜０．１５
を満足する面を含む第Ｒ１サブレンズ群と、それ以外の第Ｒ２サブレンズ群とから構成され、
前記第Ｒ１サブレンズ群は、正レンズＬ１ｐと負レンズＬ１ｎを含み、前記正レンズＬ１ｐの部分分散比とアッべ数をそれぞれθＲ１ｐ及びνＲ１ｐ、前記負レンズＬ１ｎの部分分散比とアッべ数をそれぞれθＲ１ｎ及びνＲ１ｎとするとき、
０．７５×１０−３＜（θＲ１ｐ−θＲ１ｎ）
／（νＲ１ｎ−νＲ１ｐ）＜２．６０×１０−３
を満たし、
前記第Ｒ２サブレンズ群は、正レンズＬ２ｐを含み、前記第Ｒレンズ群の焦点距離をｆＲ、前記正レンズＬ２ｐの部分分散比とアッべ数をそれぞれθＲ２ｐ及びνＲ２ｐとするとき、
０．６２１＜θＲ２ｐ＜０．７１１
０．７＜ｆＲ２ｐ／ｆＲ＜２．１
を満たし、
前記第Ｒレンズ群に含まれる正レンズの部分分散比の平均値及びアッべ数の平均値をそれぞれθａｐ及びνａｐ、前記第Ｒレンズ群に含まれる負レンズの部分分散比の平均値及びアッべ数の平均値をそれぞれθａｎ及びνａｎとするとき、
｜（θａｐ−θａｎ）／（νａｎ−νａｐ）｜＜１．９０×１０−３
を満たす、
ことを特徴とするズームレンズ。
ただし、部分分散比θとアッベ数νは、フラウンフォーファ線のｇ線（４３５．８ｎｍ）、Ｆ線（４８６．１ｎｍ）、ｄ線（５８７．６ｎｍ）、Ｃ線（６５６．３ｎｍ）に対する屈折率をそれぞれＮｇ、ＮＦ、Ｎｄ、ＮＣとするとき、
ν＝（Ｎｄ−１）／（ＮＦ−ＮＣ）
θ＝（Ｎｇ−ＮＦ）／（ＮＦ−ＮＣ）
で表されるものとする。
【請求項２】
物体側から像側へ順に、変倍のためには移動しない正の屈折力の第１レンズ群、変倍に際して移動する負の屈折力の第２レンズ群、変倍に際して移動する負の屈折力の第３レンズ群と、最も像側に変倍のためには移動しない正の屈折力の第Ｒレンズ群を有し、変倍に際して隣り合う各レンズ群の間隔が変化するズームレンズであって、
前記第Ｒレンズ群中の物体側から第ｉ番目のレンズにおける近軸追跡上の軸上光束高さをｈｉ、瞳近軸光束高さをｈｂｉとしたとき、前記第Ｒレンズ群は、
ｈｂｉ／ｈｉ＜０．１５
を満足する面を含む第Ｒ１サブレンズ群と、それ以外の第Ｒ２サブレンズ群とから構成され、
前記第Ｒ１サブレンズ群は、正レンズＬ１ｐと負レンズＬ１ｎを含み、前記正レンズＬ１ｐの部分分散比とアッべ数をそれぞれθＲ１ｐ及びνＲ１ｐ、前記負レンズＬ１ｎの部分分散比とアッべ数をそれぞれθＲ１ｎ及びνＲ１ｎとするとき、
２．５５×１０−３＜（θＲ１ｐ−θＲ１ｎ）
／（νＲ１ｎ−νＲ１ｐ）＜５．１×１０−３
を満たし、
前記第Ｒ２サブレンズ群は、正レンズＬ２ｐを含み、前記第Ｒレンズ群の焦点距離をｆＲ、前記正レンズＬ２ｐの部分分散比とアッべ数をそれぞれθＲ２ｐ及びνＲ２ｐとするとき、
０．６２１＜θＲ２ｐ＜０．７１１
０．６＜ｆＲ２ｐ／ｆＲ＜１．９
を満たし、
前記第Ｒレンズ群に含まれるの正レンズの部分分散比の平均値及びアッべ数の平均値をそれぞれθａｐ及びνａｐ、前記第Ｒレンズ群に含まれる負レンズの部分分散比の平均値及びアッべ数の平均値をそれぞれθａｎ及びνａｎとするとき、
｜（θａｐ−θａｎ）／（νａｎ−νａｐ）｜＜１．９×１０−３
を満たす、
ことを特徴とするズームレンズ。
ただし、部分分散比θとアッベ数νは、フラウンフォーファ線のｇ線（４３５．８ｎｍ）、Ｆ線（４８６．１ｎｍ）、ｄ線（５８７．６ｎｍ）、Ｃ線（６５６．３ｎｍ）に対する屈折率をそれぞれＮｇ、ＮＦ、Ｎｄ、ＮＣとするとき、
ν＝（Ｎｄ−１）／（ＮＦ−ＮＣ）
θ＝（Ｎｇ−ＮＦ）／（ＮＦ−ＮＣ）
で表されるものとする。
【請求項３】
前記ズームレンズは、物体側から像側へ順に、前記第１レンズ群、前記第２レンズ群、前記第３レンズ群、前記第Ｒレンズ群から構成されることを特徴とする、請求項１または２に記載のズームレンズ。
【請求項４】
前記ズームレンズは、物体側から像側へ順に、前記第１レンズ群、前記第２レンズ群、前記第３レンズ群、変倍に際して移動する正の屈折力を有する第４レンズ群と、前記第Ｒレンズ群から構成されることを特徴とする、請求項１または２に記載のズームレンズ。
【請求項５】
前記負レンズＬ１ｎの焦点距離をｆＲ１ｎとするとき、
−１．５＜ｆＲ１ｎ／ｆＲ＜−０．５
なる条件式を満たすことを特徴とする請求項１乃至４のいずれか１項に記載のズームレンズ。
【請求項６】
前記第２レンズ群に含まれる正レンズと負レンズの部分分散比の平均値及びアッべ数の平均値をそれぞれθ２ｐとθ２ｎ及びν２ｐとν２ｎとするとき、
１．８×１０−３＜（θ２ｐ−θ２ｎ）／（ν２ｎ−ν２ｐ）＜５．５×１０−３
を満たすことを特徴とする請求項１乃至５のいずれか１項に記載のズームレンズ。
【請求項７】
前記第Ｒレンズ群と、該第Ｒレンズ群と隣接するレンズ群との間に絞りを有し、
前記絞りから前記正レンズＬ２ｐの物体側面頂点までの光軸上の距離をＤＲ２ｐ、前記第Ｒレンズ群の光軸上の長さをＤＲとしたとき、
０．８５＜ＤＲ２ｐ／ＤＲ＜０．９９
を満たすことを特徴とする請求項１乃至６のいずれか１項に記載のズームレンズ。
【請求項８】
前記第Ｒレンズ群と、該第Ｒレンズ群と隣接するレンズ群との間に絞りを有し、
前記絞りから前記負レンズＬ１ｎの物体側面頂点までの光軸上の距離をＤＲ１ｎとしたとき、
｜ＤＲ１ｎ／ＤＲ｜＜０．３５
を満たすことを特徴とする請求項１乃至７のいずれか１項に記載のズームレンズ。
【請求項９】
前記絞りから前記負レンズＬ２ｎの物体側面頂点までの光軸上の距離をＤＲ２ｎとしたとき、
０．７５＜ＤＲ２ｎ／ＤＲ＜０．９８
を満たすことを特徴とする請求項７または８に記載のズームレンズ。
【請求項１０】
前記第Ｒ２サブレンズ群は負レンズＬ２ｎを含み、該負レンズＬ２ｎの屈折率と部分分散比をそれぞれＮＲ２ｎ及びθＲ２ｎとしたとき、
１.８５＜ＮＲ２ｎ＜２．２０
０．５６０＜θＲ２ｎ＜０．６１４
を満たすことを特徴とする請求項１乃至９のいずれか１項に記載のズームレンズ。
【請求項１１】
請求項１乃至１０のいずれか１項に記載のズームレンズと、前記ズームレンズによって形成された像を受光する固体撮像素子を有することを特徴とする撮像装置。
【発明の詳細な説明】
【技術分野】
【０００１】
本発明は、ズームレンズ及びそれを有する撮像装置に関し、特に放送用テレビカメラ、映画用カメラ、デジタルスチルカメラ、銀塩写真用カメラ等に好適なものである。
【背景技術】
【０００２】
近年、テレビカメラや映画用カメラ、写真用カメラ等の撮像装置には、広画角、高ズーム比かつ高い光学性能を有したズームレンズが要望されている。特に、プロフェッショナルの動画撮影システムとしてのテレビ、映画用カメラに用いられているＣＣＤやＣＭＯＳ等の撮像デバイスは、撮像範囲全体が略均一の解像力を有している。そのため、これを用いるズームレンズに対しては、画面中心から画面周辺まで解像力が略均一で、色収差の少ないことが要求されている。
【０００３】
広画角、高ズーム比のズームレンズとして、物体側から順に正の屈折力の第１レンズ群、負の屈折力の第２レンズ群、正または負の屈折力の第３レンズ群と、レンズの最も像側に正の屈折力の第Ｒレンズ群を配置したポジティブリード型のズームレンズが知られている。例えば、特許文献１では、変倍比３〜８程度、広角端の半画角３２°〜３５°程度のズームレンズが開示されている。また、特許文献２では、変倍比１９．５〜２１程度、広角端の半画角３０°〜３５°程度のズームレンズが開示されている。
【先行技術文献】
【特許文献】
【０００４】
【特許文献１】特開２０１５−１７６１１８号公報
【特許文献２】特開２０１０−１８６１７９号公報
【非特許文献】
【０００５】
【非特許文献１】収差論    松井吉哉著  1989年  一般社団法人日本オプトメカトロニクス協会
【発明の概要】
【発明が解決しようとする課題】
【０００６】
前述した特許文献には、部分分散比の高い光学材料からなるレンズを採用して、特に色収差を良好に補正して高い光学性能を実現したズームレンズが記載されている。広角端画角が広く、高いズーム倍率を有するズームレンズにおいて良好な撮像性能を維持するには、基準波長に加え色収差のズーム変動を良好に補正することが重要である。特に、広角端における倍率色収差および望遠端における軸上色収差を良好に補正することが重要である。
【０００７】
例えば、広角端において倍率色収差の２次スペクトルを補正するためには、開口絞りよりも像面側で正の屈折力を有するレンズ（以下、正レンズとも言う）に異常分散性を有する材料を使用することが有効である。しかしながら比較的Ｆナンバーの明るい光学系である場合、少なからず軸上光線もそのレンズによる影響を受けてしまうため、軸上色収差が過補正になりやすい。例えば異常分散特性を有する光学材料を用いて広角端の倍率色収差を補正した場合、同時に軸上色収差もズーム全域で一定のオフセット補正が掛かったような影響を受ける。前述のようなズームレンズにおいて、倍率色収差が目立ちやすい広角側で良好な補正を達成しつつ全ズーム範囲にわたり高い光学性能を得るには、次のように設定することが有効である。特にズーミングに際して不動の最も像側に位置する最終レンズ群の軸外光束が高い像面側に異常分散を有する正レンズを配置して倍率色収差の２次スペクトルを補正しながら軸上色収差バランスも適切に設定することが有効である。
【０００８】
しかしながら、特許文献１に開示されている技術を用いたズームレンズは倍率が低い想定であり、更なる高倍率化を図る場合に倍率色収差と軸上色収差をズーム全域にわたり良好に補正するのが困難になってくる。また、特許文献２に開示されているズームレンズは異常分散性を有する材料からなる正レンズのパワーが弱く、且つ最終レンズ群全体の軸上色収差補正バランスも更に改善の余地がある。
【０００９】
そこで、本発明は異常分散性を有する材料からなる正レンズの配置やパワーを適切に設定し、且つ、最終レンズ群として有する色収差補正能力を適切に設定する。それにより、広画角、高ズーム比でありながら、広角端における倍率色収差および望遠端における軸上色収差を良好に補正するズームレンズの提供を目的とする。具体的には、広角端の半画角３２度以上、変倍比１８倍以上で、高い光学性能を有したズームレンズの提供を目的とする。
【課題を解決するための手段】
【００１０】
上記目的を達成するために、本発明のズームレンズは、物体側から像側へ順に、変倍のためには移動しない正の屈折力の第１レンズ群、変倍に際して移動する負の屈折力の第２レンズ群、変倍に際して移動する正の屈折力の第３レンズ群と、最も像側に変倍のためには移動しない正の屈折力の第Ｒレンズ群を有し、変倍に際して隣り合う各レンズ群の間隔が変化するズームレンズであって、前記第Ｒレンズ群中の物体側から第ｉ番目のレンズにおける近軸追跡上の軸上光束高さをｈｉ、瞳近軸光束高さをｈｂｉとしたとき、前記第Ｒレンズ群は、
ｈｂｉ／ｈｉ＜０．１５
を満足する面を含む第Ｒ１サブレンズ群と、それ以外の第Ｒ２サブレンズ群とから構成され、前記第Ｒ１サブレンズ群は、正レンズＬ１ｐと負レンズＬ１ｎを含み、前記正レンズＬ１ｐの部分分散比とアッべ数をそれぞれθＲ１ｐ及びνＲ１ｐ、前記負レンズＬ１ｎの部分分散比とアッべ数をそれぞれθＲ１ｎ及びνＲ１ｎとするとき、
０．７５×１０−３＜（θＲ１ｐ−θＲ１ｎ）
／（νＲ１ｎ−νＲ１ｐ）＜２．６０×１０−３
を満たし、
前記第Ｒ２サブレンズ群は、正レンズＬ２ｐを含み、前記第Ｒレンズ群の焦点距離をｆＲ、前記正レンズＬ２ｐの部分分散比とアッべ数をそれぞれθＲ２ｐ及びνＲ２ｐとするとき、
０．６２１＜θＲ２ｐ＜０．７１１
０．７＜ｆＲ２ｐ／ｆＲ＜２．１
を満たし、
前記第Ｒレンズ群に含まれる正レンズの部分分散比の平均値及びアッべ数の平均値をそれぞれθａｐ及びνａｐ、前記第Ｒレンズ群に含まれる負レンズの部分分散比の平均値及びアッべ数の平均値をそれぞれθａｎ及びνａｎとするとき、
｜（θａｐ−θａｎ）／（νａｎ−νａｐ）｜＜１．９０×１０−３
を満たすことを特徴とする。
【００１１】
また、本発明に係る別の態様のズームレンズは、物体側から像側へ順に、変倍のためには移動しない正の屈折力の第１レンズ群、変倍に際して移動する負の屈折力の第２レンズ群、変倍に際して移動する負の屈折力の第３レンズ群と、最も像側に変倍のためには移動しない正の屈折力の第Ｒレンズ群を有し、変倍に際して隣り合う各レンズ群の間隔が変化するズームレンズであって、前記第Ｒレンズ群中の物体側から第ｉ番目のレンズにおける近軸追跡上の軸上光束高さをｈｉ、瞳近軸光束高さをｈｂｉとしたとき、前記第Ｒレンズ群は、
ｈｂｉ／ｈｉ＜０．１５
を満足する面を含む第Ｒ１サブレンズ群と、それ以外の第Ｒ２サブレンズ群とから構成され、前記第Ｒ１サブレンズ群は、正レンズＬ１ｐと負レンズＬ１ｎを含み、前記正レンズＬ１ｐの部分分散比とアッべ数をそれぞれθＲ１ｐ及びνＲ１ｐ、前記負レンズＬ１ｎの部分分散比とアッべ数をそれぞれθＲ１ｎ及びνＲ１ｎとするとき、
２．５５×１０−３＜（θＲ１ｐ−θＲ１ｎ）
／（νＲ１ｎ−νＲ１ｐ）＜５．１×１０−３
を満たし、前記第Ｒ２サブレンズ群は、正レンズＬ２ｐを含み、前記第Ｒレンズ群の焦点距離をｆＲ、前記正レンズＬ２ｐの部分分散比とアッべ数をそれぞれθＲ２ｐ及びνＲ２ｐとするとき、
０．６２１＜θＲ２ｐ＜０．７１１
０．６＜ｆＲ２ｐ／ｆＲ＜１．９
を満たし、前記第Ｒレンズ群に含まれるの正レンズの部分分散比の平均値及びアッべ数の平均値をそれぞれθａｐ及びνａｐ、前記第Ｒレンズ群に含まれる負レンズの部分分散比の平均値及びアッべ数の平均値をそれぞれθａｎ及びνａｎとするとき、
｜（θａｐ−θａｎ）／（νａｎ−νａｐ）｜＜１．９×１０−３
を満たす、ことを特徴とする。
ただし、部分分散比θとアッベ数νは、フラウンフォーファ線のｇ線（４３５．８ｎｍ）、Ｆ線（４８６．１ｎｍ）、ｄ線（５８７．６ｎｍ）、Ｃ線（６５６．３ｎｍ）に対する屈折率をそれぞれＮｇ、ＮＦ、Ｎｄ、ＮＣとするとき、
ν＝（Ｎｄ−１）／（ＮＦ−ＮＣ）
θ＝（Ｎｇ−ＮＦ）／（ＮＦ−ＮＣ）
で表されるものとする。
【発明の効果】
【００１２】
第Ｒレンズ群に異常分散性の高い正レンズを適切なパワーで配置すると同時に、第Ｒレンズ群の絞りに近い位置に軸上色収差の過補正を防ぐ色収差補正群を配置する。それにより、広画角、高ズーム比を達成しつつ、広角端の倍率色収差及びズーム全域の軸上色収差を良好に補正したズームレンズが得られる。
【図面の簡単な説明】
【００１３】
【図１】数値実施例１の広角端で無限遠合焦時のレンズ断面図
【図２】数値実施例１の広角端（ａ）、ズーム中間（ｂ）、望遠端（ｃ）で無限遠合焦時の収差図
【図３】数値実施例２の広角端で無限遠合焦時のレンズ断面図
【図４】数値実施例２の広角端（ａ）、ズーム中間（ｂ）、望遠端（ｃ）で無限遠合焦時の収差図
【図５】数値実施例３の広角端で無限遠合焦時のレンズ断面図
【図６】数値実施例３の広角端（ａ）、ズーム中間（ｂ）、望遠端（ｃ）で無限遠合焦時の収差図
【図７】数値実施例４の広角端で無限遠合焦時のレンズ断面図
【図８】数値実施例４の広角端（ａ）、ズーム中間（ｂ）、望遠端（ｃ）で無限遠合焦時の収差図
【図９】硝材のアッベ数と部分分散比の分布図
【図１０】本発明の撮像装置の要部概略図
【発明を実施するための形態】
【００１４】
以下に、本発明の好ましい実施の形態を、添付の図面に基づいて詳細に説明する。
まず、本発明のズームレンズの特徴について、各条件式に沿って説明する。本発明のズームレンズは、広画角、高ズーム比で、特に広角端の倍率色収差とズーム全域の軸上色収差を良好に補正するために、第Ｒレンズ群に含む正レンズのパワーや部分分散比、及び、第Ｒレンズ群全体の色収差補正バランスを適切に規定している。
【００１５】
本発明のズームレンズは、物体側から像側へ順に、変倍のためには移動しない正の屈折力の第１レンズ群、変倍に際して移動する負の屈折力の第２レンズ群、変倍に際して移動する正の屈折力の第３レンズ群と、最も像側に変倍のためには移動しない正の屈折力の第Ｒレンズ群を有する４群または５群から構成される。第１レンズ群と第Ｒレンズ群は変倍のためには移動せず、互いに隣接するレンズ群の間隔は変倍に際して変化することを特徴とする。
【００１６】
第Ｒレンズ群中の物体側から第ｉ番目のレンズにおける近軸追跡上の軸上光束高さをｈｉ、瞳近軸光束高さをｈｂｉとしたとき、第Ｒレンズ群は、
ｈｂｉ／ｈｉ＜０．１５  ・・・（ｊ）
を満足する面を含む第Ｒ１サブレンズ群と、それ以外の第Ｒ２サブレンズ群とから構成される。
【００１７】
第Ｒ２レンズ群は、正レンズＬ２ｐを含み、第Ｒレンズ群の焦点距離をｆＲ、正レンズＬ２ｐの部分分散比とアッべ数をそれぞれθＲ２ｐ及びνＲ２ｐとするとき、
０．６２１＜θＲ２ｐ＜０．７１１  ・・・（１）
０．７＜ｆＲ２ｐ／ｆＲ＜２．１  ・・・（２）
を満たす。
【００１８】
第Ｒレンズ群に含まれる正レンズの部分分散比の平均値及びアッべ数の平均値をそれぞれθａｐ及びνａｐ、第Ｒレンズ群に含まれる負レンズの部分分散比の平均値及びアッべ数の平均値をそれぞれθａｎ及びνａｎとするとき、
｜（θａｐ−θａｎ）／（νａｎ−νａｐ）｜＜１．９０×１０−３  ・・・（３）
なる条件を満たす。
【００１９】
また、第Ｒ１レンズ群は、正レンズＬ１ｐと負レンズＬ１ｎを含み、前記正レンズＬ１ｐの部分分散比とアッべ数をそれぞれθＲ１ｐ及びνＲ１ｐ、前記負レンズＬ１ｎの部分分散比とアッべ数をそれぞれθＲ１ｎ及びνＲ１ｎとするとき、
０．７５×１０−３＜（θＲ１ｐ−θＲ１ｎ）
／（νＲ１ｎ−νＲ１ｐ）＜２．６０×１０−３  ・・・（４）
を満たす。
【００２０】
ここで、フラウンフォーファ線のｇ線（４３５．８ｎｍ）、Ｆ線（４８６．１ｎｍ）、ｄ線（５８７．６ｎｍ）、Ｃ線（６５６．３ｎｍ）に対する屈折率をそれぞれＮｇ、ＮＦ、Ｎｄ、ＮＣとするとき、光学素子（レンズ）の材料のアッベ数νｄ、ｇ線とＦ線に関する部分分散比θｇＦは（ａ）式、（ｂ）式で表されるものとする。
νｄ＝（Ｎｄ−１）／（ＮＦ−ＮＣ）  ・・・（ａ）
θｇＦ＝（Ｎｇ−ＮＦ）／（ＮＦ−ＮＣ）  ・・・（ｂ）
本発明で用いるレンズ材料のアッべ数νは、それぞれ対象となるレンズの材料特性に関して（ａ）式で算出した値を採用する。また、レンズ材料の部分分散比θはそれぞれ対象となるレンズの材料特性に関して（ｂ）式で算出した値を採用する。
【００２１】
本発明のズームレンズは、正の屈折力の第１レンズ群、変倍用の負の屈折力の第２レンズ群を配置したポジティブリード型のズームレンズである。負の屈折力の第２レンズ群は広角側から望遠側への変倍に際して第１レンズ群との間隔が広がるように移動し、高ズーム比を達成し易いズームタイプを採用している。絞りは第２レンズ群から像面までの間に配置すればよいが、絞り前後のレンズ径のバランスを考慮すると、第Ｒレンズ群と第Ｒレンズ群の物体側に隣接するレンズ群との間に配置するのが好ましい。第Ｒレンズ群はズームレンズ全系の最も像側に位置し、正の屈折力を有し、変倍に際して固定である。第Ｒレンズ群は下記のようなサブユニット構成を想定しても良い。第Ｒレンズ群の物体側に配置されているレンズ群からの収斂又は発散の光束を受けて略アフォーカル光束として射出する正又は負の屈折力の物体側サブレンズ群を有しても良い。また、光路中に挿抜してレンズ全系の焦点距離を変換する焦点距離変換光学系（エクステンダーレンズ群）を有しても良い。また、その変換光学系の像側に配置され光束を結像へと導く正の屈折力の像側サブレンズ群を有しても良い。このような構成で第Ｒレンズ群を構成すると、レンズ群の一部のレンズ構成を光路に挿抜するだけで、更なる長焦点距離化の要望に対応することが可能である。
【００２２】
（１）式は、第Ｒ２レンズ群に含む正レンズの部分分散値を規定している。以下、この異常分散性を有する正レンズを特定して指す場合、「正レンズＬ２ｐ」と記載する。（１）式を満たすことで、広画角且つ高倍率のズームレンズの広角端でオーバーバランスに増大し易い倍率色収差を良好に補正することが可能となる。
【００２３】
ここで、正レンズＬ２ｐに採用する材料の部分分散比と倍率色収差の関係について説明する。図９に示すように、現存する光学材料はアッベ数νｄに対し部分分散比θｇＦが狭い範囲に分布しており、νｄが小さいほどθｇＦが大きい傾向を有する。所定の屈折力Φで、正の屈折力Φｐ、負の屈折力Φｎ、アッベ数νｐ、νｎ、軸上近軸光線の入射高ｈ、瞳近軸光線の入射高Ｈ、の２枚のレンズＧｐ、Ｇｎで構成される薄肉密着系の軸上色収差係数Ｌ、倍率色収差係数Ｔは以下の（ｃ）式及び（ｄ）式で表わされる。
Ｌ＝ｈ×ｈ×（Φｐ／νｐ＋Φｎ／νｎ）  ・・・（ｃ）
Ｔ＝ｈ×Ｈ×（Φｐ／νｐ＋Φｎ／νｎ）  ・・・（ｄ）
【００２４】
ここで、
Φ＝Φｐ＋Φｎ  ・・・（ｅ）
とする。また、軸上近軸光線及び瞳近軸光線は、次のように定義される光線である。軸上近軸光線は、光学系全系の広角端の焦点距離を１に規格化し、光学系に光軸と平行に、入射高を１として入射させた近軸光線である。瞳近軸光線は、光学系全系の広角端の焦点距離を１に規格化し、撮像面の最大像高に入射する光線の内、光学系の入射瞳と光軸との交点を通過する近軸光線である。
【００２５】
（ｃ）式及び（ｄ）式の各レンズの屈折力は、（ｅ）式がΦ＝１となるように規格化されている。３枚以上で構成される場合も同様に考えることができる。（ｃ）式及び（ｄ）式において、Ｌ＝０及びＴ＝０とするとＣ線−Ｆ線の軸上及び像面上での結像位置が合致する。このように、ある特定の２波長に対する色収差を補正することを、一般的に２波長色消し（１次スペクトル補正）と呼ぶ。特に高倍率のズームレンズでは、変倍に伴う色収差変動を抑制するために、各レンズ群の色収差、すなわちＬ及びＴが概ねゼロ近傍となるように補正される。
【００２６】
この時、物体距離を無限遠として光束を入射した場合のＦ線に対するｇ線の軸上色収差のずれ量及び倍率色収差のずれ量を、それぞれ軸上色収差の２次スペクトル量Δｓ、倍率色収差の２次スペクトル量Δｙとして定義すると、
Δｓ＝−ｈ×ｈ×（θｐ−θｎ）／（νｐ−νｎ）×ｆ  ・・・（ｆ）
Δｙ＝−ｈ×Ｈ×（θｐ−θｎ）／（νｐ−νｎ）×Ｙ  ・・・（ｇ）
で表される。ここで、ｆはレンズ全系の焦点距離、Ｙは像高とする。このように、更に特定の波長を加えて、ある特定の３波長に対する色収差を補正することを、一般的に３波長色消し（２次スペクトル補正）と呼ぶ。
【００２７】
ズームレンズの高仕様化の要求に伴い、高倍率のズーム比を達成するほど（ｆ）式の焦点距離ｆが増大するため、軸上色収差の２次スペクトルを低減することが難しくなる。また、広画角を達成するほど（ｇ）式の瞳近軸光線の高さＨが増大するため、広角端倍率色収差の２次スペクトルを低減することが難しくなる。本発明の各実施例では、ズームレンズの広角端焦点距離をｆｗ、望遠端焦点距離をｆｔ、広角端半画角をωｗとするとき、
ｆｔ／ｆｗ＞１８．０  ・・・（ｈ）
ωｗ＞３２．０  ・・・（ｉ）
を達成しつつ、倍率色収差と軸上色収差の２次スペクトルの良好な補正を両立している。
【００２８】
ここで、近軸光線追跡について簡単に説明する（非特許文献１）。
近軸光線追跡とはレンズ曲率ｒやレンズ間隔ｄ、屈折率ｎなどをパラメータとしてレンズ各面のパワーφと換算面間隔ｅ´を算出し、レンズ各面における光線の換算傾角αと光線の入射高ｈを求めていく手法である。
【００２９】
近軸光線追跡では２本の代表的な光線を用いる。１つは物体近軸光線であり、軸上物点から出て、レンズの主点上で軸上光束高さｈ＝１を通り、換算傾角α＝１で像面へ到達する光線である。このときレンズ全系の焦点距離はｆ＝１に規定化されている。本明細書では第Ｒレンズ群を通過する物体近軸光線のレンズ各面における光線高さをｈｉで記す。もう１つは瞳近軸光線であり、軸外物点から出て入射瞳の中心に向かって入射し、また射出瞳の中心から換算傾角αｂ＝−１で像面に到達する光線である。本明細書では第Ｒレンズ群における瞳近軸光線のレンズ各面における光線高さをｈｂｉで記す。物体距離が無限遠の場合、各パラメータの初期値は、
α１＝０、ｈ１＝１、αｂｉ＝−１、ｈｂ１＝−ｔ１
とする。ここでｔ１はレンズ系の最物体側面から入射瞳までの光軸上の距離である。
【００３０】
本明細書では第Ｒレンズ群内において、上記の近軸光線追跡によって求まるレンズ各面のｈｂｉとｈｉが、
ｈｂｉ／ｈｉ＜０．１５  ・・・（ｊ）
という関係を満足する面を含むレンズ群を第Ｒ１サブレンズ群、それ以降のレンズ群を第Ｒ２サブレンズ群として第Ｒレンズ群を２つに分ける。第Ｒ２サブレンズ群は軸外光束に対する寄与が第Ｒ１サブレンズ群に対して相対的に大きいため、倍率色収差の補正などに効果のあるレンズを配置するのに適している。一方、第Ｒ１サブレンズ群は軸外光束に対する寄与が相対的に下がり、軸上色収差の補正に効果のあるレンズを配置するのに適している。このように本発明では収差補正の本質的な面から第Ｒレンズ群を２分割している。例えば第Ｒレンズ群中に変倍光学系の挿抜や防振機構などを設けるために３つ以上のレンズ群として規定している場合等とはまた異なる視点で、第Ｒレンズ群の２分割を達成し得るものである。
【００３１】
（１）式の値が大きいほど、第Ｒレンズ群に含まれる正レンズＬ２ｐの部分分散比θＲ２ｐを大きくすることができ、（ｇ）式に基づいて倍率色収差の２次スペクトル量を低減することができる。（１）式を満たす光学材料は図９に示す一般的なアッべ数と部分分散比の領域外の、所謂異常分散材量と呼ばれる領域に属し、特に高い色収差補正能力を有する光学材料である。（１）式の下限の条件が満たされないと、倍率色収差の２次スペクトルの補正が不足し、広角端の倍率色収差を良好に補正することが困難となる。（１）式の上限の条件が満たされないと、正レンズＬ２ｐを構成する材料の部分分散比θｘが大きくなりすぎてしまい、倍率色収差が過補正となり、特に青色の波長帯を良好にまとめる事が困難になる。
【００３２】
更に好ましくは、（１）式は次の如く設定するのが良い。
０．６２４＜θＲ２ｐ＜０．６８０  ・・・（１ａ）
更に好ましくは、（１ａ）式は次の如く設定するのが良い。
０．６２７＜θＲ２ｐ＜０．６６０  ・・・（１ａａ）
【００３３】
また、（２）式は正レンズＬ２ｐの焦点距離ｆＲ２ｐと、第Ｒレンズ群の焦点距離ｆＲの比を規定している。（２）式を満たすことで正レンズＬ２ｐに適切なパワーを持たせることができ、倍率色収差の２次スペクトルを良好に補正することができる。（２）式の上限の条件が満たされないと、正レンズＬ２ｐに適切なパワーを持たせることができず、倍率色収差の２次スペクトル補正を十分に発揮できない。（２）式の下限の条件が満たされないと、高い異常分散性を有する正レンズＬ２ｐのパワーが強くなりすぎてしまい、広角端の倍率色収差の過補正及びズーム全域の倍率色収差補正バランスの悪化を招く。また、軸上色収差の過補正を回避することも困難になってくる。
【００３４】
更に好ましくは、（２）式は次の如く設定するのが良い。
０．８５＜ｆＲ２ｐ／ｆＲ＜１．９  ・・・（２ａ）
更に好ましくは、（２ａ）式は次の如く設定するのが良い。
１．２＜ｆＲ２ｐ／ｆＲ＜１．８  ・・・（２ａａ）
【００３５】
また、（３）式は第Ｒレンズ群に含まれる全ての正レンズと負レンズの色収差補正バランスを規定している。本発明の（１）式と（２）式を満足することで広角端の倍率色収差の２次スペクトルは良好に補正される一方で、軸上色収差の２次スペクトルは過補正になる恐れがある。そこで（３）式も（１）、（２）式と同時に満たすことにより、軸上色収差と倍率色収差の良好な補正の両立が可能となる。（３）式の上限の条件が満たされないと、軸上色収差が過補正になってしまい、倍率色収差との良好なバランスを維持することが困難となる。
【００３６】
更に好ましくは、（３）式は次の如く設定するのが良い。
｜（θａｐ−θａｎ）／（νａｎ−νａｐ）｜＜１．７×１０−３  ・・・（３ａ）
更に好ましくは、（３ａ）式は次の如く設定するのが良い。
｜（θａｐ−θａｎ）／（νａｎ−νａｐ）｜＜１．５×１０−３  ・・・(３ａａ)
更に好ましくは、（３）式は次の如く設定するのがよい。
０．２×１０−３＜｜（θａｐ−θａｎ）
／（νａｎ−νａｐ）｜＜１．５×１０−３  ・・・（３ａａａ）
下限の条件が満たされないと、必然的にアッべ数が近い正レンズと負レンズの硝材選択となり、１次の色収差補正が困難となる、または、高次収差が増大して良好な光学性能を達成することが困難となる。
【００３７】
また、上記の（４）式は、第Ｒ１サブレンズ群が含む、１枚以上の正レンズと１枚以上の負レンズが満たす分散及び部分分散比の関係を規定している。以下、第Ｒ１サブレンズ群内で本発明の想定する色収差補正を担う条件式（４）を満たす正レンズと負レンズを、それぞれ「正レンズＬ１ｐ」と「負レンズＬ１ｎ」と記載する。本発明で想定する広画角且つ高倍率のズームレンズにおいて第３レンズ群が正の屈折力を有する場合、第Ｒ１サブレンズ群は変倍群からの収斂光束を受けて第Ｒ２サブレンズ群にリレーするために負の屈折力を持つ傾向にある。（１）式と（２）式を満足する正レンズＬ２ｐの影響により過補正気味となる軸上色収差を適性バランスへ制御するため、正レンズＬ１ｐには高分散低部分分散材を、負レンズＬ１ｎには低分散高部分分散材を採用し、（４）式を満足するような色収差補正を達成することが有効である。（４）式の上限の条件が満たされないと、第Ｒ１サブレンズ群が軸上色収差をアンダーへ補正する能力を有し、過補正を助長してしまうため好ましくない。（４）式の下限の条件が満たされないと、第Ｒ１サブレンズ群の異常分散性が不足し、軸上色収差の２次スペクトルの過補正を適切に防ぐことが困難となる。
【００３８】
更に好ましくは、（４）式は次の如く設定するのが良い。
０．９５×１０−３＜（θＲ１ｐ−θＲ１ｎ）
／（νＲ１ｎ−νＲ１ｐ）＜２．５５×１０−３  ・・・（４ａ）
更に好ましくは、（４ａ）式は次の如く設定するのが良い。
１．１０×１０−３＜（θＲ１ｐ−θＲ１ｎ）
／（νＲ１ｎ−νＲ１ｐ）＜２．５０×１０−３  ・・・（４ａａ）
【００３９】
本発明のズームレンズの別の態様として、本発明のズームレンズは物体側から像側へ順に、変倍のためには移動しない正の屈折力の第１レンズ群、変倍に際して移動する負の屈折力の第２レンズ群、変倍に際して移動する負の屈折力の第３レンズ群と、最も像側に変倍のためには移動しない正の屈折力の第Ｒレンズ群を有する４群または５群のレンズ群からなる。互いに隣接するレンズ群の間隔は変倍に際して変化する構成を有することを特徴とする。
【００４０】
第Ｒレンズ群中の物体側から第ｉ番目のレンズにおける近軸追跡上の軸上光束高さをｈｉ、瞳近軸光束高さをｈｂｉとしたとき、前記第Ｒレンズ群は、
ｈｂｉ／ｈｉ＜０．１５  ・・・（ｊ）
を満足する面を含む第Ｒ１サブレンズ群と、それ以外の第Ｒ２サブレンズ群とから構成される。
【００４１】
第Ｒ２サブレンズ群は、正レンズＬ２ｐを含み、前記第Ｒレンズ群の焦点距離をｆＲ、前記正レンズＬ２ｐの部分分散比とアッべ数をそれぞれθＲ２ｐ及びνＲ２ｐとするとき、
０．６２１＜θＲ２ｐ＜０．７１１  ・・・（１）
０．６＜ｆＲ２ｐ／ｆＲ＜１．９  ・・・（２Ａ）
を満たす。
【００４２】
第Ｒレンズ群に含まれる正レンズの部分分散比の平均値及びアッべ数の平均値をそれぞれθａｐ及びνａｐ、第Ｒレンズ群に含まれる負レンズの部分分散比の平均値及びアッべ数の平均値をそれぞれθａｎ及びνａｎとするとき、
｜（θａｐ−θａｎ）／（νａｎ−νａｐ）｜＜１．９０×１０−３  ・・・（３）
を満たす。
【００４３】
また、第Ｒ１サブレンズ群は、正レンズＬ１ｐと負レンズＬ１ｎを含み、前記正レンズＬ１ｐの部分分散比とアッべ数をそれぞれθＲ１ｐ及びνＲ１ｐ、前記負レンズＬ１ｎの部分分散比とアッべ数をそれぞれθＲ１ｎ及びνＲ１ｎとするとき、
２．５５×１０−３＜（θＲ１ｐ−θＲ１ｎ）
／（νＲ１ｎ−νＲ１ｐ）＜５．１０×１０−３  ・・・（４Ａ）
を満たすことを特徴とする。
【００４４】
本発明は、第３レンズ群が正の屈折力であるズームレンズに加え、第３レンズ群が負の屈折力であるズームレンズの場合にも同様の効果を発揮することができる。（１）式や（３）式は、広角端の倍率色収差とズーム全域の軸上色収差の２次スペクトルを適性に補正するために共通で必要な条件式である。
【００４５】
（２Ａ）式を満たすことで該正レンズＬ２ｐに適切なパワーを持たせることができ、倍率色収差の２次スペクトルを良好に補正することができる。第Ｒ１サブレンズ群を正のパワー配置で構成すると、第Ｒ１サブレンズ群が負のパワー配置である場合に比べて第Ｒレンズ群の焦点距離は長くなるため、（２Ａ）式は（２）式に比べて値が小さい範囲へ振れている。（２Ａ）式の上限の条件が満たされないと、正レンズＬ２ｐに適切なパワーを持たせることができず、倍率色収差の２次スペクトル補正を十分に発揮できない。（２Ａ）式の下限の条件が満たされないと、高い異常分散性を有する正レンズＬ２ｐのパワーが強くなりすぎてしまい、広角端の倍率色収差の過補正及びズーム全域の倍率色収差補正バランスの悪化を招く。また、軸上色収差の過補正を回避することも困難になってくる。
【００４６】
更に好ましくは、（２Ａ）式は次の如く設定するのが良い。
０．７０＜ｆＲ２ｐ／ｆＲ＜１．８  ・・・（２Ａａ）
更に好ましくは、（２Ａａ）式は次の如く設定するのが良い。
０．８０＜ｆＲ２ｐ／ｆＲ＜１．７５  ・・・（２Ａａａ）
【００４７】
また、（４Ａ）式は（４）式に比べて上限下限の数値範囲が大きい方向へ振れている。これは、第Ｒ１サブレンズ群が正の屈折力を有する場合、軸上色収差の過補正を防ぐためには、正レンズＬ１ｐには低分散低部分分散材を、負レンズＬ１ｎには高分散高部分分散材を選択することが有効であるため、（４）式の値が正に大きい方が好ましいためである。（４）式の値としては。（４Ａ）式の下限の条件が満たされないと、第Ｒ１サブレンズ群として軸上色収差の過補正を防ぐ能力が不足し、過補正を適切に制御することが困難となる。（４Ａ）式の上限の条件が満たされないと、現存する光学材料においては負レンズＬ１ｎの屈折力が必然的に高くなりすぎてしまい、色収差補正や後続のレンズ群の径の制御に適切な曲率を有することが困難となるため好ましくない。
【００４８】
更に好ましくは、（４Ａ）式は次の如く設定するのが良い。
２．７０×１０−３＜（θＲ１ｐ−θＲ１ｎ）
／（νＲ１ｎ−νＲ１ｐ）＜４．８０×１０−３  ・・・（４Ａａ）
更に好ましくは、（４ａ´）式は次の如く設定するのが良い。
２．８５×１０−３＜（θＲ１ｐ−θＲ１ｎ）
／（νＲ１ｎ−νＲ１ｐ）＜４．６０×１０−３  ・・・（４Ａａａ）
【００４９】
（２Ａ）式や（４Ａ）式に関して上述のような差異はあるものの、それ以外の設計思想は第３レンズ群が正の場合と同様であり、本発明の技術を適用したズームレンズは広画角且つ高倍率でありながら倍率色収差と軸上色収差の良好な両立を可能としている。
【００５０】
以下、更なる本発明のズームレンズの態様を条件式に基づいて説明するが、必ずしも全ての条件式を満足しなくとも、どれか一つを満足することによって更なる効果を発揮するものである。
【００５１】
更なる本発明のズームレンズの態様として、第Ｒ１サブレンズ群に含まれる負レンズＬ１ｎの焦点距離をｆＲ１ｎとするとき、
−１．５＜ｆＲ１ｎ／ｆＲ＜−０．５  ・・・（５）
なる条件式を満足することを特徴とする。
【００５２】
（５）式は第Ｒ１サブレンズ群に含まれる負レンズＬ１ｎと第Ｒレンズ群全系の焦点距離の比を規定している。（５）式を満足することで、負レンズＬ１ｎ及び正レンズＬ１ｐに適切なパワーを持たせて軸上色収差の過補正をより効果的に達成することが可能となる。（５）式の下限の条件が満たされないと、負レンズＬ１ｎの屈折力が不足して適切に軸上色収差の過補正を制御することが困難になる。（５）式の上限の条件が満たされないと、負レンズＬ１ｎが屈折力を過剰に持ち、この場合も適切に軸上色収差の過補正を制御することが困難となる。また過剰に強い曲率を有するレンズは軸上収差の高次収差の発生の原因にもなるため好ましくない。
【００５３】
更に好ましくは、（５）式は次の如く設定するのが良い。
−１．４５＜ｆＲ１ｎ／ｆＲ＜−０．５５  ・・・（５ａ）
更に好ましくは、（５ａ）式は次の如く設定するのが良い。
−１．４＜ｆＲ１ｎ／ｆＲ＜−０．６  ・・・（５ａａ）
【００５４】
更なる本発明のズームレンズの態様として、第２レンズ群に含まれる全ての正レンズの部分分散比の平均値θ２ｐとアッべ数の平均値ν２ｐ、第２レンズ群に含まれる全ての負レンズの部分分散比の平均値θ２ｎとアッべ数の平均値ν２ｎは、
１．８×１０−３＜（θ２ｐ−θ２ｎ）
／（ν２ｎ−ν２ｐ）＜５．５×１０−３  ・・・（６）
を満たしている。
【００５５】
（６）式はズームレンズの第２レンズ群の色収差補正について規定している。第２レンズ群の色収差補正バランスは、広角端の倍率色収差補正に影響する。また、第２レンズ群は本発明のズームレンズにおいて主の変倍群としての役割を担っており、第２レンズ群の色収差補正をどのバランスにするかは色収差のズーム変動に大きな影響を与える。本発明のズームレンズは高ズーム比と広画角という仕様を両立しており、特に広角端の倍率色収差と望遠端の軸上色収差が共に良好に補正されている必要がある。（６）式の下限の条件が満たされないと、特に長焦点距離の望遠端における軸上色収差の補正が不足し、高ズーム比でありながら良好な色収差補正を満足することが困難となる。（６）式の上限の条件が満たされないと倍率色収差のズーム変動を抑制することが困難になるため好ましくない。
【００５６】
更に好ましくは、（６）式は次の如く設定するのが良い。
２．１×１０−３＜（θ２ｐ−θ２ｎ）
／（ν２ｎ−ν２ｐ）＜５．１×１０−３  ・・・（６ａ）
更に好ましくは、（６ａ）式は次の如く設定するのが良い。
２．４×１０−３＜（θ２ｐ−θ２ｎ）
／（ν２ｎ−ν２ｐ）＜４．８×１０−３  ・・・（６ａａ）
【００５７】
更なる本発明のズームレンズの態様として、第Ｒレンズ群と、該第Ｒレンズ群と隣接するレンズ群との間に絞りを有し、絞りから第Ｒ２サブレンズ群に含まれる正レンズＬ２ｐの物体側面頂点までの光軸上の距離ＤＲ２ｐ、第Ｒレンズ群の光軸上の長さＤＲは、
０．８５＜ＤＲ２ｐ／ＤＲ＜０．９９  ・・・（７）
を満たしている。（７）式は正レンズＬ２ｐの第Ｒレンズ群内の配置について規定している。前記（ｇ）式より、倍率色収差の２次スペクトルを低減するには瞳近軸光線の高さＨの高い位置に正レンズＬ２ｐを配置するのが効果的である。一般的に、絞りから離れるほど瞳近軸光線の高さＨは高くなるため、（７）式を満たすことで広角端倍率色収差の２次スペクトルを更に良好に補正することができる。（７）式の下限の条件が満たされないと、広角端における倍率色収差の２次スペクトルの補正が困難となるため好ましくない。（７）式の上限の条件が満たされないと、正レンズＬ２ｐが適切なレンズ肉厚を持たず、倍率色収差補正の効果を十分に発揮できないため好ましくない。
【００５８】
更に好ましくは、（７）式は次の如く設定するのが良い。
０．８８＜ＤＲ２ｐ／ＤＲ＜０．９８  ・・・（７ａ）
更に好ましくは、（４ａ）式は次の如く設定するのが良い。
０．９０＜ＤＲ２ｐ／ＤＲ＜０．９７  ・・・（７ａａ）
【００５９】
更なる本発明のズームレンズの態様として、第Ｒ１サブレンズ群に含まれる負レンズＬ１ｎの絞りに近い側の面頂点（物体側面頂点）から絞りまでの光軸上の距離をＤＲ１ｎとしたとき、
｜ＤＲ１ｎ／ＤＲ｜＜０．３５  ・・・（８）
を満たしている。
【００６０】
（８）式は負レンズＬ１ｎの第Ｒレンズ群内の配置について規定している。第Ｒ１レンズ群で、負レンズＬ１ｎは正レンズＬ１ｐと軸上色収差の過補正を防ぐための色収差補正を構成し、それは（ｆ）式から分かるように軸上近軸光線の入射高ｈが大きい位置に配置することが効果的である。また、（ｇ）式から分かるように、正レンズＬ２ｐによる倍率色収差の２次スペクトル補正を邪魔しないよう、瞳近軸光線の高さＨが極力低い場所に配置することが好ましい。（８）式を満たすことで、負レンズＬ１ｎと正レンズＬ１ｐを瞳近軸光線の高さＨの低い位置に配置することができ、軸上色収差の過補正を効果的に防ぐとともに、正レンズＬ２ｐによる倍率色収差の２次スペクトル補正を効果的に発揮させることができる。ここで、（８）式を絶対値表記している理由は、本発明内では基本的に物体側から像側へ向けて測定した距離を正の値として扱うのに対し、ＤＲ１ｎの値が負の値となる（つまり、負レンズＬ１ｎが絞りよりも物体側に存在する）場合も想定しているからである。（８）式の上限の条件が満たされないと、正レンズＬ２ｐと負レンズＬ１ｎを含む色収差補正の瞳近軸光線の高さＨの差異が小さくなり、前記正レンズＬ２ｐと負レンズＬ１ｎで色収差の補正効果を相殺してしまうため好ましくない。
【００６１】
更に好ましくは、（８）式は次の如く設定するのが良い。
｜ＤＲ１ｎ／ＤＲ｜＜０．３０  ・・・（８ａ）
更に好ましくは、（８ａ）式は次の如く設定するのが良い。
｜ＤＲ１ｎ／ＤＲ｜＜０．２５  ・・・（８ａａ）
更に好ましくは、（８）式は次の如く設定するのがよい。
０．０２＜｜ＤＲ１ｎ／ＤＲ｜＜０．２５  ・・・（８ａａａ）
下限の条件が満たされないと、絞りとレンズとの間隔に余裕が無く、干渉等の危険性が生じるため好ましくない。
【００６２】
更なる本発明のズームレンズの態様として、第Ｒ２サブレンズ群に含まれる負レンズＬ２ｎの光学材料の屈折率と部分分散比を其々ＮＲ２ｎとθＲ２ｎとしたとき、
１.８５＜ＮＲ２ｎ＜２．２０  ・・・（９）
０．５６０＜θＲ２ｎ＜０．６１４  ・・・（１０）
を満たしている。
【００６３】
（９）式は第Ｒ２サブレンズ群内に含まれる、正レンズＬ２ｐと色収差補正関係を構築する負レンズに採用する光学材料の屈折率を規定している。以下、この負レンズを「負レンズＬ２ｎ」と記載する。（９）式を満たすことで、負レンズＬ２ｎの硝材は必然的に高屈折率高分散材を選択することになり、正レンズＬ２ｐに適切なパワーを付け易くなるため、広角端の倍率色収差を更に良好に補正することが可能となる。また、正レンズＬ２ｐが高屈折率硝材を選択される傾向にあるため、負レンズＬ２ｎも高屈折率硝材を選択することで、ペッツバール和の制御にも効果がある。更に、負レンズＬ２ｎの曲率半径を緩やかにすることができ、高次収差の抑制も可能となる。（９）式の下限の条件が満たされないと、正レンズＬ２ｐに十分なパワーがつけられず倍率色収差の２次スペクトル補正効果が十分に発揮されないため好ましくない。また、上述の諸収差の制御も困難となるため好ましくない。（９）式の上限の条件が満たされないと、負レンズＬ２ｎが必要以上に高屈折力の材料で構成されることになり、現存する光学材料においては適切な色収差補正を持たせるための分散値や部分分散比の選択が困難となる。
【００６４】
更に好ましくは、（９）式は次の如く設定するのが良い。
１．８８＜ＮＲ２ｎ＜２．１５  ・・・（９ａ）
更に好ましくは、（９ａ）式は次の如く設定するのが良い。
１．９０＜ＮＲ２ｎ＜２．１０  ・・・（９ａａ）
【００６５】
（１０）式は正レンズＬ２ｐと色収差補正関係を構築する負レンズＬ２ｎに採用する光学材料の部分分散比を規定している。（１０）式を満たすことで、正レンズＬ２ｐが発揮する異常分散性の効果をより効果的に発揮できるような負レンズＬ２ｎの硝材選択となる。（１０）式の上限の条件が満たされないと、正レンズＬ２ｐの異常分散性による効果を負レンズＬ２ｎが相殺してしまい、良好な倍率色収差の２次スペクトル補正が困難となる。（１０）式の下限の条件が満たされないと、現存する光学材料においては正レンズＬ２ｐとの分散値と大きな差異が生じ、適切な曲率を持たせることが困難となり、色収差補正の効果を発揮するのが困難となる。
【００６６】
更に好ましくは、（１０）式は次の如く設定するのが良い。
０．５７０＜θＲ２ｎ＜０．６０５  ・・・（１０ａ）
更に好ましくは、（１０ａ）式は次の如く設定するのが良い。
０．５８０＜θＲ２ｎ＜０．６００  ・・・（１０ａａ）
【００６７】
更なる本発明のズームレンズの態様として、絞りから前記負レンズＬ２ｎの物体側面頂点までの光軸上の距離をＤＲ２ｎとしたとき、
０．７５＜ＤＲ２ｎ／ＤＲ＜０．９８  ・・・（１１）
を満たしている。
（１１）式は、正レンズＬ２ｐと色収差補正関係を構築する負レンズＬ２ｎに採用する光学材料の第Ｒレンズ群内の配置を規定している。（１１）式を満たすことで、正レンズＬ２ｐとの色収差補正関係が効果的に発揮され、正レンズＬ２ｐのパワーを適切に強めることができる。（１１）式の下限の条件が満たされないと、正レンズＬ２ｐに適切なパワーを持たせることが困難となる。また、絞りの近くに負レンズＬ２ｎが配置されると軸上近軸光線径を増大させる作用があり、レンズの小型軽量化の妨げとなるため好ましくない。（１１）式の上限の条件が満たされないと、正レンズＬ２ｐと負レンズＬ２ｎに十分な肉厚を確保できなくなり、各レンズに適切なパワーを持たせることが困難となる。
【００６８】
更に好ましくは、（１１）式は次の如く設定するのが良い。
０．８＜ＤＲ２ｎ／ＤＲ＜０．９７５  ・・・（１１ａ）
更に好ましくは、（１１ａ）式は次の如く設定するのが良い。
０．８５＜ＤＲ２ｎ／ＤＲ＜０．９７  ・・・（１１ａａ）
【００６９】
更に、本発明の撮像装置は、各実施例のズームレンズとズームレンズによって形成された像を受光する所定の有効撮像範囲を有する固体撮像素子を有することを特徴とする。
【００７０】
以下に本発明のズームレンズの具体的な構成について、実施例１〜４に対応する数値実施例１〜４のレンズ構成の特徴により説明する。
【実施例１】
【００７１】
図１は本発明の実施例１（数値実施例１）であるズームレンズにおいて、広角端で無限遠に合焦しているときのレンズ断面図である。図２において、（ａ）は数値実施例１の広角端、（ｂ）は数値実施例１の焦点距離２８．６６ｍｍ、（ｃ）は数値実施例１の望遠端の縦収差図を示している。いずれの収差図も、無限遠に合焦しているときの縦収差図である。また、焦点距離の値は、後述する数値実施例をｍｍ単位で表したときの値である。これは以下の数値実施例においても、全て同じである。
【００７２】
図１において、物体側から像側へ順に、合焦用の正の屈折力の第１レンズ群Ｕ１を有している。さらに、広角端から望遠端への変倍に際して、像側へ移動する変倍用の負の屈折力の第２レンズ群Ｕ２を有している。さらに、第２レンズ群Ｕ２の移動に連動して光軸上を移動し、変倍に伴う像面変動を補正する正の屈折力の第３レンズ群Ｕ３を有している。実施例１では、第２レンズ群Ｕ２、第３レンズ群Ｕ３で変倍系を構成している。さらに、変倍のためには移動しない結像作用をする正の第４レンズ群Ｕ４を有している。ＳＰは開口絞りであり、第３レンズ群Ｕ３と第４レンズ群Ｕ４の間に配置されており、開口絞りは変倍に際して光軸方向に不動である。ＩＰは像面であり、放送用テレビカメラ、ビデオカメラ、デジタルスチルカメラの撮像光学系として使用する際には、ズームレンズで形成された像を受光し、光電変換する固体撮像素子（光電変換素子）等の撮像面に相当している。フィルム用カメラの撮像光学系として使用する際には、ズームレンズで形成された像が感光するフィルム面に相当する。
【００７３】
縦収差図において、球面収差における直線と二点鎖線は各々ｅ線、ｇ線である。非点収差における点線と実線は各々メリディオナル像面、サジタル像面であり、倍率色収差における二点鎖線はｇ線である。ωは半画角、ＦｎｏはＦナンバーである。縦収差図では、球面収差は０．４ｍｍ、非点収差は０．４ｍｍ、歪曲は１０％、倍率色収差は０．１ｍｍのスケールで描かれている。なお、以下の各実施例において広角端と望遠端は、変倍用の第２レンズ群Ｕ２が機構に対して光軸上を移動可能な範囲の両端に位置したときのズーム位置を指す。
【００７４】
次に、本実施例における各レンズ群の構成について説明する。第１レンズ群Ｕ１は第１面から第１９面に対応する。第１レンズ群Ｕ１は、合焦時に移動しない負の屈折力の第１１レンズ群Ｕ１１、無限遠側から至近側への合焦時に像側へ移動する正の屈折力の第１２レンズ群Ｕ１２、正の屈折力の第１３レンズ群Ｕ１３から構成される。第１３レンズ群Ｕ１３群は合焦時に第１２レンズ群Ｕ１２と連動して移動しても良い。第２レンズ群Ｕ２は、第２０面から第２７面に、第３レンズ群Ｕ３は、第２８面から第３６面に対応している。開口絞りは第３７面に対応する。第４レンズ群Ｕ４は、第３８面から第５５面に対応する。実施例１における前記正レンズＬ２ｐは第５４〜５５面に対応する。前記負レンズＬ１ｎは第３８〜３９面に対応する。前記正レンズＬ１ｐは第３９〜４０面に対応する。前記負レンズＬ２ｎは第５２〜５３面に対応する。第４レンズ群において瞳近軸光線の高さＨが高い位置である最像面側に（１）式を満足する高い部分分散比を有する正レンズＬ２ｐを配置することにより、主に広角端の倍率色収差の２次スペクトルを効果的にアンダーバランスに補正している。また前記正レンズＬ２ｐの近傍に（９）式を満足する高い屈折率硝材からなる負レンズＬ２ｎを配置し、前記正レンズに適切なパワーを持たせる効果やペッツバール和の適切な制御などの効果を発揮している。また第４レンズ群において、条件式（ｊ）を満足する位置に（４）式を満足する正レンズＬ１ｐと負レンズＬ１ｎを配置することにより、主にズーム全域の軸上色収差の２次スペクトルの過補正を適切に防ぐ効果を発揮している。第５６面から第５８面は色分解光学系光などに相当するダミーガラスである。
【００７５】
上記実施例１に対応する数値実施例１について説明する。数値実施例１に限らず全数値実施例において、ｉは物体側からの面（光学面）の順序を示し、ｒｉは物体側より第ｉ番目の面の曲率半径、ｄｉは物体側より第ｉ番目の面と第ｉ＋１番目の面の間隔（光軸上）を示している。また、ｎｄｉ、νｄｉ、θｇＦｉは、第ｉ番目の面と第ｉ＋１番目の面との間の媒質（光学部材）のｄ線に対する屈折率、アッベ数、部分分散比を、ＢＦは空気換算のバックフォーカスを表している。非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２、Ａ１４、Ａ１６をそれぞれ非球面係数としたとき、次式で表している。また、「ｅ−Ｚ」は「×１０−Ｚ」を意味する。
【数１】
2018004665.tif 000003
【００７６】
本実施例の各条件式対応値を表１に示す。実施例１は（１）〜（１１）式を満足し、広角端半画角ωｗが３９．３８°、変倍比２７．０倍の広画角高倍率ズームレンズでありながら、広角端での倍率色収差の２次スペクトルとズーム全域の軸上色収差の２次スペクトルの良好な補正の両立を達成している。
【００７７】
しかしながら、本発明のズームレンズは、（１）〜（４）式を満足することは必須であるが、（５）〜（１１）式については満足していなくても構わない。但し、（５）〜（１１）式について少なくとも１つでも満足していれば更に良い効果を奏することができる。これは他の実施例についても同様である。
【００７８】
図１０は各実施例のズームレンズを撮影光学系として用いた撮像装置（テレビカメラシステム）の概略図である。図１０において１０１は実施例１〜４のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、変倍部ＬＺ、結像用の後群Ｒを有している。第１レンズ群Ｆは合焦用レンズ群が含まれている。変倍部ＬＺは変倍のために光軸上を移動する第２レンズ群や第３レンズ群が含まれている。ＳＰは開口絞りである。結像用の後群Ｒには、第Ｒレンズ群が含まれている。１１４、１１５は各々第１レンズ群Ｆ、変倍部ＬＺを光軸方向に駆動するヘリコイドやカム等の駆動機構である。１１６、１１７、１１８は駆動機構１１４、１１５および開口絞りＳＰを電動駆動するモータ（駆動手段）である。１１９、１２０、１２１は、第１レンズ群Ｆや変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ１０１の各種の駆動を制御するＣＰＵである。
【００７９】
このように、本発明のズームレンズをテレビカメラに適用することにより、高い光学性能を有する撮像装置を実現している。
【実施例２】
【００８０】
図３は本発明の実施例２（数値実施例２）であるズームレンズにおいて、広角端で無限遠に合焦しているときのレンズ断面図である。図５において、（ａ）は数値実施例２の広角端、（ｂ）は数値実施例２の焦点距離３５．００ｍｍ、（ｃ）は数値実施例２の望遠端の縦収差図を示している。いずれの収差図も、無限遠に合焦しているときの縦収差図である。
【００８１】
図３において、物体側から像側へ順に、合焦用の正の屈折力の第１レンズ群Ｕ１を有している。さらに、広角端から望遠端への変倍に際して、像側へ移動する変倍用の負の屈折力の第２レンズ群Ｕ２を有している。さらに、第２レンズ群Ｕ２の移動に連動して光軸上を移動し、変倍に伴う像面変動を補正する、正の屈折力の第３レンズ群Ｕ３および正の屈折力の第４レンズ群Ｕ４を有している。実施例２では、第２レンズ群Ｕ２、第３レンズ群Ｕ３、第４レンズ群Ｕ４で変倍系を構成している。さらに、変倍のためには移動しない結像作用をする正の第５レンズ群Ｕ５を有している。ＳＰは開口絞りであり、第４レンズ群Ｕ４と第５レンズ群Ｕ５の間に配置されており、開口絞りは変倍に際して光軸方向に不動である。ＩＰは像面であり、放送用テレビカメラ、ビデオカメラ、デジタルスチルカメラの撮像光学系として使用する際には、ズームレンズで形成された像を受光し、光電変換する固体撮像素子（光電変換素子）等の撮像面に相当している。フィルム用カメラの撮像光学系として使用する際には、ズームレンズで形成された像が感光するフィルム面に相当する。
【００８２】
数値実施例２の第１レンズ群Ｕ１は第１面から第１７面に対応する。第２レンズ群Ｕ２は第１８面から第２４面に、第３レンズ群Ｕ３は第２５面から第２９面に、第４レンズ群は第３０面から第３４面に対応する。開口絞りは第３５面に対応する。第５レンズ群Ｕ５は、第３６面から第５０面に対応する。実施例２における前記正レンズＬ２ｐは第４９〜５０面に対応する。前記負レンズＬ１ｎは第３６〜３７面に対応する。前記正レンズＬ１ｐは第３７〜３８面に対応する。前記負レンズＬ２ｎは第４７〜４８面に対応する。第５１面から第５３面は色分解光学系光などに相当するダミーガラスである。
【００８３】
実施例２は（１）〜（１１）式を満足し、広角端半画角ωが４０．２４°、変倍比３０．００倍の広画角高倍率のズームレンズでありながら、広角端での倍率色収差の２次スペクトルとズーム全域の軸上色収差の２次スペクトルの良好な補正の両立を達成している。
【実施例３】
【００８４】
図５は本発明の実施例３（数値実施例３）であるズームレンズにおいて、広角端で無限遠に合焦しているときのレンズ断面図である。図６において、（ａ）は数値実施例３の広角端、（ｂ）は数値実施例３の焦点距離３１．６７ｍｍ、（ｃ）は数値実施例３の望遠端の縦収差図を示している。いずれの収差図も、無限遠に合焦しているときの縦収差図である。
【００８５】
図５において、物体側から像側へ順に、合焦用の正の屈折力の第１レンズ群Ｕ１を有している。さらに、広角端から望遠端への変倍に際して、像側へ移動する変倍用の負の屈折力の第２レンズ群Ｕ２を有している。さらに、第２レンズ群Ｕ２の移動に連動して光軸上を移動し、変倍に伴う像面変動を補正する負の屈折力の第３レンズ群Ｕ３を有している。実施例３では、第２レンズ群Ｕ２、第３レンズ群Ｕ３で変倍系を構成している。さらに、変倍のためには移動しない結像作用をする正の第４レンズ群Ｕ４を有している。ＳＰは開口絞りであり、第３レンズ群Ｕ３と第４レンズ群Ｕ４の間に配置されており、開口絞りは変倍に際して光軸方向に不動である。ＩＰは像面であり、放送用テレビカメラ、ビデオカメラ、デジタルスチルカメラの撮像光学系として使用する際には、ズームレンズで形成された像を受光し、光電変換する固体撮像素子（光電変換素子）等の撮像面に相当している。フィルム用カメラの撮像光学系として使用する際には、ズームレンズで形成された像が感光するフィルム面に相当する。
【００８６】
数値実施例３の第１レンズ群Ｕ１は第１面から第１１面に対応する。第２レンズ群Ｕ２は、第１２面から第２０面に、第３レンズ群Ｕ３は第２１面から第２３面に対応する。開口絞りは第２４面に対応する。第４レンズ群Ｕ４は、第２５面から第４１面に対応する。実施例３における前記正レンズＬ２ｐは第４０〜４１面に対応する。前記負レンズＬ１ｎは第３０〜３１面に対応する。前記正レンズＬ１ｐは第２９〜３０面に対応する。前記負レンズＬ２ｎは第３８〜３９面に対応する。第４２面から第４４面は色分解光学系光などに相当するダミーガラスである。
【００８７】
実施例３は（１）〜（１１）式を満足し、広角端半画角ωが３５．１９°、変倍比２１．００倍の広画角高倍率のズームレンズでありながら、広角端での倍率色収差の２次スペクトルとズーム全域の軸上色収差の２次スペクトルの良好な補正の両立を達成している。
【実施例４】
【００８８】
図７は本発明の実施例４（数値実施例４）であるズームレンズにおいて、広角端で無限遠に合焦しているときのレンズ断面図である。図８において、（ａ）は数値実施例４の広角端、（ｂ）は数値実施例４の焦点距離３６．２０ｍｍ、（ｃ）は数値実施例４の望遠端の縦収差図を示している。いずれの収差図も、無限遠に合焦しているときの縦収差図である。
【００８９】
図７において、物体側から像側へ順に、合焦用の正の屈折力の第１レンズ群Ｕ１を有している。さらに、広角端から望遠端への変倍に際して、像側へ移動する変倍用の負の屈折力の第２レンズ群Ｕ２を有している。さらに、第２レンズ群Ｕ２の移動に連動して光軸上を移動し、変倍に伴う像面変動を補正する、負の屈折力の第３レンズ群Ｕ３および正の屈折力の第４レンズ群Ｕ４を有している。実施例４では、第２レンズ群Ｕ２、第３レンズ群Ｕ３、第４レンズ群Ｕ４で変倍系を構成している。さらに、変倍のためには移動しない結像作用をする正の第５レンズ群Ｕ５を有している。ＳＰは開口絞りであり、第４レンズ群Ｕ４と第５レンズ群Ｕ５の間に配置されており、開口絞りは変倍に際して光軸方向に不動である。ＩＰは像面であり、放送用テレビカメラ、ビデオカメラ、デジタルスチルカメラの撮像光学系として使用する際には、ズームレンズで形成された像を受光し、光電変換する固体撮像素子（光電変換素子）等の撮像面に相当している。フィルム用カメラの撮像光学系として使用する際には、ズームレンズで形成された像が感光するフィルム面に相当する。
【００９０】
数値実施例４の第１レンズ群Ｕ１は第１面から第１６面に対応する。第２レンズ群Ｕ２は、第１７面から第２３面に、第３レンズ群Ｕ３は第２４面から第２６面に、第４レンズ群は第２７面から第３０面に対応する。開口絞りは第３１面に対応する。第５レンズ群Ｕ５は、第３２面から第４４面に対応する。実施例４における前記正レンズＬ２ｐは第４３〜４４面に対応する。前記負レンズＬ１ｎは第３３〜３４面に対応する。前記正レンズＬ１ｐは第３２〜３３面に対応する。前記負レンズＬ２ｎは第４１〜４２面に対応する。第４５面から第４７面は色分解光学系光などに相当するダミーガラスである。
【００９１】
実施例４は（１）〜（１１）式を満足し、広角端半画角ωwが３４．５１°、変倍比２０．００倍の広画角高倍率のズームレンズでありながら、広角端での倍率色収差の２次スペクトルとズーム全域の軸上色収差の２次スペクトルの良好な補正の両立を達成している。
【００９２】
以上、本発明の好ましい実施形態について説明したが、本発明はこれらの実施形態に限定されず、その要旨の範囲内で種々の変形及び変更が可能である。
【００９３】
＜数値実施例１＞
単位 ｍｍ
面データ
面番号i     ri        di       ndi       vdi      θgFi    有効径   焦点距離
1      393.07756   4.70000  1.696797   55.53    0.5434    185.142   -192.485
2       99.82700  50.10974                                152.619           
3     -255.88598   4.50000  1.696797   55.53    0.5434    151.128   -196.659
4      299.91368   0.50000                                151.110           
5      213.20143  16.67824  1.805181   25.42    0.6161    153.014    318.812
6     1161.74447   5.14617                                152.292           
7    -4474.08909  21.48780  1.496999   81.54    0.5375    151.979    369.289
8     -177.08226   0.50000                                151.505           
9      346.46128   4.40000  1.805181   25.42    0.6161    140.807   -414.568
10      169.83303  14.99997  1.496999   81.54    0.5375    140.538    517.129
11      483.22227  32.56358                                140.997           
12      660.65660  16.54962  1.496999   81.54    0.5375    141.334    446.124
13     -332.40467   0.20000                                142.319           
14      213.58733   4.40000  1.805181   25.42    0.6161    143.851   -584.917
15      146.00689   1.00000                                141.071           
16      149.61808  30.28004  1.496999   81.54    0.5375    141.306    231.183
17     -467.67414   0.20000                                140.806           
18      162.18243  12.17411  1.620411   60.29    0.5427    132.514    442.408
19      382.82110    (可変)                                130.448           
20      206.32498   1.50000  2.003300   28.27    0.5980     47.121   -100.089
21       67.67527   4.04415                                 43.927           
22     2025.87668   1.50000  1.729157   54.68    0.5444     43.430    -57.697
23       41.37750   6.97460  1.959060   17.47    0.6598     40.007     54.819
24      169.85255   1.50000  1.729157   54.68    0.5444     39.201    -93.253
25       48.52656   8.95392                                 38.019           
26      -47.00210   1.50000  1.882997   40.76    0.5667     38.157   -100.911
27     -100.31829    (可変)                                 39.853           
28      301.30072   5.35871  1.516330   64.14    0.5353     51.925    235.714
29     -204.21409   0.15000                                 52.756           
30      124.98617   9.44766  1.487490   70.23    0.5300     54.367    113.118
31      -96.81997   0.20000                                 54.605           
32      229.57404   1.60000  1.805181   25.42    0.6161     53.756    -90.941
33       55.73084   8.00003  1.487490   70.23    0.5300     52.518    136.471
34      321.57737   0.15000                                 52.515           
35       82.44363  10.12579  1.589130   61.14    0.5407     52.784     80.515
36     -107.58803    (可変)                                 52.272           
37         ∞       4.00000                                 32.208           
38     -105.25996   1.50000  1.788001   47.37    0.5559     30.263    -20.359
39       19.16009   7.10685  1.854780   24.80    0.6122     28.315     29.874
40       61.80731   5.87199                                 27.620           
41      -42.44517   1.50000  1.754999   52.32    0.5475     27.328    -23.533
42       31.26896  10.53229  1.595509   39.24    0.5803     28.866     53.265
43     1356.98698   1.00000                                 31.340           
44       35.62734   9.99998  1.516330   64.14    0.5353     34.489     62.922
45     -348.04514  14.99997                                 34.305           
46      202.88741   6.19881  1.496999   81.54    0.5375     32.606     74.777
47      -45.19780   3.00001                                 32.288           
48      -31.31850   1.50000  1.850259   32.27    0.5929     31.131    -22.539
49       51.43503  10.48042  1.595220   67.74    0.5442     33.038     34.085
50      -31.13112   0.84996                                 34.076           
51      239.90862   7.64294  1.438750   94.93    0.5340     33.174     60.563
52      -29.67443   1.50000  2.003300   28.27    0.5980     32.884    -56.403
53      -63.39830   0.19995                                 34.012           
54       65.33922   5.36519  1.808095   22.76    0.6307     33.959     53.820
55     -129.21842   7.99997                                 33.459           
56         ∞      33.00000  1.608590   46.44    0.5664     50.000           
57         ∞      13.20000  1.516330   64.15    0.5352     50.000           
58         ∞      10.00000                                 50.000           
像面        ∞
非球面データ
第17面
K = 0.00000e+000  A 2=-3.77993e-004  A 4=-1.34693e-008  A 6=-5.54027e-013  
A 8= 3.82988e-016  A10=-6.82046e-020  A12= 5.51316e-024  
第29面
K = 0.00000e+000  A 2=-7.51166e-005  A 4= 1.10251e-006  A 6=-3.71744e-010  
A 8= 1.74546e-012  A10=-2.35927e-015  A12= 1.13098e-018  
【００９４】
各種データ
ズーム比     27.00 
焦点距離       6.70    28.66   180.90  
Fナンバー      1.50     1.50     2.20  
半画角        39.38    10.86     1.74  
像高           5.50     5.50     5.50  
レンズ全長   614.20   614.20   614.20  
BF            10.00    10.00    10.00  
d19            3.93    83.93   126.22  
d27          170.12    77.08     1.10  
d36            1.30    14.35    48.04  
入射瞳位置   114.19   223.09   754.17  
射出瞳位置    93.24    93.24    93.24  
前側主点位置 121.42   261.62  1328.19  
後側主点位置   3.30   -18.66  -170.90  
ズームレンズ群データ
群  始面    焦点距離  レンズ構成長  前側主点位置  後側主点位置
1    1     120.59       220.39       137.41         68.92
2   20     -30.00        25.97         9.99         -8.59
3   28      50.00        35.03        12.81        -11.82
4   37      31.26       147.45        49.59          8.70
単レンズデータ
レンズ  始面  焦点距離
1       1   -192.48
2       3   -196.66
3       5    318.81
4       7    369.29
5       9   -414.57
6      10    517.13
7      12    446.12
8      14   -584.92
9      16    213.81
10      18    442.41
11      20   -100.09
12      22    -57.70
13      23     54.82
14      24    -93.25
15      26   -100.91
16      28    231.49
17      30    113.12
18      32    -90.94
19      33    136.47
20      35     80.52
21      38    -20.36
22      39     29.87
23      41    -23.53
24      42     53.27
25      44     62.92
26      46     74.78
27      48    -22.54
28      49     34.09
29      51     60.56
30      52    -56.40
31      54     53.82
32      56      0.00
33      57      0.00
【００９５】
＜数値実施例２＞
単位 ｍｍ
面データ
面番号i     ri        di       ndi       vdi      θgFi    有効径   焦点距離
1      974.84360   4.70000  1.772499   49.60    0.5520    177.304   -199.664
2      133.43977  36.34541                                153.923           
3     -281.22498   4.50000  1.772499   49.60    0.5520    153.144   -353.535
4    11413.89998   0.15000                                152.142           
5      302.28968   9.27710  1.717362   29.51    0.5985    151.142    639.608
6      861.40309   9.51874                                150.324           
7    -2290.83947  14.00000  1.496999   81.54    0.5375    148.565    615.485
8     -271.10824   0.20000                                147.524           
9     1058.56920   4.40000  1.805177   25.43    0.6100    139.279   -412.584
10      254.15956  15.00000  1.496999   81.54    0.5375    134.707    371.101
11     -666.21827  38.21442                                133.741           
12      604.60823  17.07760  1.496999   81.54    0.5375    142.102    377.956
13     -271.09727   0.15000                                142.661           
14      482.85910  12.43394  1.496999   81.54    0.5375    142.385    543.416
15     -611.68123   0.15000                                142.049           
16      338.09700   8.63668  1.620411   60.29    0.5427    138.746    692.731
17     1546.90558    (可変)                                137.740           
18      557.31952   1.50000  1.772499   49.60    0.5520     66.070   -176.324
19      109.75081   5.64201                                 61.994           
20      768.81403   1.50000  1.729157   54.68    0.5444     60.098    -46.066
21       32.29105  10.45708  1.846660   23.78    0.6205     51.678     62.338
22       69.69177   6.11000                                 50.112           
23     -696.16905   1.50000  1.772499   49.60    0.5520     49.438    -95.365
24       82.90865    (可変)                                 47.653           
25      385.82840   6.00000  1.620411   60.29    0.5427     59.836    259.807
26     -277.06577   0.15000                                 60.863           
27      108.72577  10.00000  1.487490   70.23    0.5300     63.423    178.145
28     -425.62953   1.60000  1.805181   25.42    0.6161     63.626   -448.238
29     2530.42858    (可変)                                 63.828           
30      103.70230   1.60000  1.805181   25.42    0.6161     64.684   -221.107
31       65.29826  10.00000  1.487490   70.23    0.5300     63.676    134.937
32     5798.07780   0.15000                                 63.633           
33       93.38162   8.00000  1.620411   60.29    0.5427     63.471    129.015
34     -557.28865    (可変)                                 62.991           
35         ∞       2.98000                                 30.591           
36     -148.03323   1.40000  1.595220   67.74    0.5442     29.434    -24.719
37       16.45867   7.30654  1.720467   34.71    0.5834     27.226     29.934
38       55.31570   5.93408                                 26.533           
39      -41.31466  19.74135  1.772499   49.60    0.5520     25.765    -33.293
40       83.41322   8.40424                                 28.123           
41      -72.77815   1.50000  1.854780   24.80    0.6122     30.730    -56.644
42      150.25859   8.27629  1.639999   60.08    0.5370     32.546     46.268
43      -36.26345   0.19994                                 34.247           
44       56.44426   7.00000  1.496999   81.54    0.5375     36.032     67.641
45      -80.27829   0.50000                                 35.895           
46      217.50568   7.16945  1.438750   94.93    0.5340     34.791     68.660
47      -34.71676   1.50000  2.000690   25.46    0.6133     34.231    -50.204
48     -112.49315   0.50000                                 34.812           
49      132.89691   4.99978  1.858956   22.73    0.6284     34.619     60.004
50      -84.12848   7.99972                                 34.290           
51         ∞      33.00000  1.608590   46.44    0.5664     50.000           
52         ∞      13.20000  1.516330   64.15    0.5352     50.000           
53         ∞      10.00000                                 50.000           
像面        ∞
非球面データ
第18面
K = 0.00000e+000  A 4= 7.32328e-008  A 6= 2.55348e-010  A 8=-1.25818e-013  A10=-2.35007e-017  A12= 7.95065e-021  
第34面
K = 0.00000e+000  A 4=-1.03812e-007  A 6=-5.19338e-010  A 8= 7.28916e-013  A10=-5.02921e-016  A12= 1.29244e-019  
【００９６】
各種データ
ズーム比     30.00 
焦点距離       6.50    35.00   195.00  
Fナンバー      1.50     1.50     2.20  
半画角        40.24     8.93     1.62  
像高           5.50     5.50     5.50  
レンズ全長   625.00   625.00   625.00  
BF            10.00    10.00    10.00  
d17            3.00   103.25   225.03  
d24          228.49    65.09     6.46  
d30            1.00    34.58     1.00  
d35            1.00    30.57     1.00  
入射瞳位置    111.97   228.97   1201.77  
射出瞳位置     58.57    58.57     58.57  
前側主点位置  119.34   289.19   2179.59  
後側主点位置    3.50   -25.00   -185.00  
ズームレンズ群データ
群  始面    焦点距離  レンズ構成長  前側主点位置  後側主点位置
1    1     185.75       174.71       151.13        102.84
2   18     -41.93        26.71        13.98         -4.97
3   25     124.66        17.84         2.62         -8.90
4   31      98.22        19.75         5.00         -7.93
5   36      26.03       142.50        49.72          3.95
単レンズデータ
レンズ  始面  焦点距離
1       1   -211.09
2       3   -312.29
3       5    642.62
4       7    649.37
5       9   -425.39
6      10    375.20
7      12    371.89
8      14    547.28
9      16    698.98
10      18   -187.29
11      20    -50.53
12      21     65.25
13      23    -90.13
14      25    230.20
15      27    133.42
16      29   -255.05
17      31   -243.19
18      32    141.65
19      34    131.37
20      37    -25.38
21      38     27.33
22      40    -31.81
23      42    -31.44
24      43     48.95
25      45    -42.58
26      46     53.09
27      48     64.88
28      50     51.26
29      51    -58.13
30      53     62.93
31      55      0.00
32      56      0.00
【００９７】
＜数値実施例３＞
単位 ｍｍ
面データ
面番号i     ri        di       ndi       vdi      θgFi    有効径   焦点距離
1     -227.46712   1.80000  1.729157   54.68    0.5444     83.538   -153.400
2      222.70462   5.58399                                 81.405           
3      380.15581   1.80000  1.854780   24.80    0.6122     81.456   -167.565
4      104.52085  15.12000  1.438750   94.93    0.5340     80.738    149.000
5     -167.95553   0.15000                                 80.998           
6      171.33013   8.48410  1.592400   68.30    0.5456     80.648    203.033
7     -400.84489   6.77205                                 80.315           
8      104.06469  10.71750  1.496999   81.54    0.5375     75.775    161.943
9     -347.52773   0.15000                                 74.907           
10       64.75467   6.71940  1.729157   54.68    0.5444     67.019    150.530
11      150.05966    (可変)                                 66.201           
12      142.84267   0.70000  1.882997   40.76    0.5667     27.094    -17.151
13       13.73283   6.06452                                 21.284           
14     -105.60987   6.68388  1.808095   22.76    0.6307     21.122     18.007
15      -13.27240   0.70000  1.816000   46.62    0.5568     20.930    -12.156
16       41.01754   0.16151                                 20.324           
17       23.97265   5.95257  1.531717   48.84    0.5631     20.654     24.329
18      -25.94227   0.26438                                 20.408           
19      -27.09615   0.70000  1.834807   42.71    0.5642     20.051    -39.144
20     -156.30437    (可変)                                 20.007           
21      -27.95923   0.70000  1.743198   49.34    0.5531     21.346    -23.874
22       49.73375   2.80000  1.846660   23.78    0.6205     23.428     54.773
23     -782.21924    (可変)                                 23.991           
24         ∞       1.30000                                 28.192           
25     5030.00000   4.85000  1.501372   56.40    0.5536     29.277     88.892
26      -45.14301   0.25000                                 30.415           
27     1896.23036   3.64000  1.501372   56.40    0.5536     31.669    153.112
28      -80.30536   0.25000                                 32.199           
29       62.11008   7.97000  1.592701   35.31    0.5933     33.043     42.097
30      -40.15150   1.00000  1.808095   22.76    0.6307     32.866    -63.370
31     -181.30637  35.20000                                 33.012           
32      181.01232   4.16000  1.487490   70.23    0.5300     30.123    155.698
33     -130.48473   1.03000                                 29.835           
34       64.18149   1.00000  2.000690   25.46    0.6133     28.856    -56.570
35       29.98966   6.34000  1.517417   52.43    0.5564     27.830     57.331
36    -4343.95001   0.50000                                 27.625           
37       33.78900   6.57000  1.487490   70.23    0.5300     27.555     48.433
38      -74.20810   1.00000  2.003300   28.27    0.5980     26.832    -45.996
39      125.62465   0.65000                                 26.474           
40       80.73214   3.30000  1.808095   22.76    0.6307     26.441     81.231
41     -364.68199   4.50000                                 26.113           
42         ∞      30.00000  1.603420   38.01    0.5795     40.000           
43         ∞      16.20000  1.516330   64.15    0.5352     40.000           
44         ∞       7.50000                                 40.000           
像面        ∞
非球面データ
第12面
K = 4.87638e+001  A 4= 4.20118e-006  A 6=-9.06488e-009  A 8=-2.98567e-011  A10=-5.08718e-014  A12= 4.60571e-016  
【００９８】
各種データ
ズーム比     21.00 
焦点距離       7.80    31.67   163.80  
Fナンバー      1.80     1.80     2.60  
半画角        35.19     9.85     1.92  
像高           5.50     5.50     5.50  
レンズ全長   280.46   280.46   280.46  
BF             7.50     7.50     7.50  
d11            0.67    36.38    52.61  
d20           55.71    14.70     7.20  
d23            4.85    10.15     1.42  
入射瞳位置     51.29    181.83    641.82  
射出瞳位置  -1646.52  -1646.52  -1646.52  
前側主点位置   59.061   212.89    789.40  
後側主点位置   -0.300   -24.17   -156.30  
ズームレンズ群データ
群  始面    焦点距離  レンズ構成長  前側主点位置  後側主点位置
1    1      68.20        57.30        36.34          1.46
2   12     -13.40        21.23         1.70        -12.58
3   21     -42.80         3.50        -0.13         -2.04
4   24      46.62       129.71        45.25       -103.09
単レンズデータ
レンズ  始面  焦点距離
1       1   -153.40
2       3   -167.57
3       4    149.00
4       6    203.03
5       8    161.94
6      10    150.53
7      12    -17.15
8      14     18.01
9      15    -12.16
10      17     24.33
11      19    -39.14
12      21    -23.87
13      22     54.77
14      25     88.89
15      27    153.11
16      29     42.10
17      30    -63.37
18      32    155.70
19      34    -56.57
20      35     57.33
21      37     48.43
22      38    -46.00
23      40     81.23
24      42      0.00
25      43      0.00
【００９９】
＜数値実施例４＞
単位 ｍｍ
面番号i     ri        di       ndi       vdi      θgFi    有効径   焦点距離
1     -319.85967   2.50000  1.749505   35.33    0.5818     85.022   -115.946
2      120.82658   1.74267                                 79.602           
3      117.04933   2.50000  1.749505   35.33    0.5818     79.099   -336.891
4       79.40879   0.63985                                 76.602           
5       81.91030  13.76661  1.433870   95.10    0.5373     76.603    152.024
6     -325.63083   7.71008                                 75.969           
7      144.10735   7.09445  1.595220   67.74    0.5442     73.102    223.182
8    -1746.47931   0.49917                                 72.428           
9      353.28956   2.40000  1.749505   35.33    0.5818     70.893   -542.816
10      189.12297   0.30000                                 69.649           
11      107.01142   9.17486  1.595220   67.74    0.5442     69.559    135.859
12     -325.03231   0.30000                                 69.144           
13      103.44461   4.73051  1.496999   81.54    0.5375     64.811    335.720
14      266.79359   0.30000                                 64.103           
15       53.52388   4.41062  1.763850   48.51    0.5587     59.552    221.475
16       75.32318    (可変)                                 58.411           
17       70.64354   1.07000  2.003300   28.27    0.5980     23.609    -14.288
18       11.90811   5.87054                                 18.393           
19      -59.29658   5.39715  1.808095   22.76    0.6307     18.104     15.878
20      -11.07311   1.00000  1.882997   40.76    0.5667     18.037    -11.018
21       87.76288   0.23000                                 18.412           
22       30.42059   3.44814  1.761821   26.52    0.6136     18.793     40.705
23     1046.26204    (可変)                                 18.567           
24      -26.05989   1.00000  1.754999   52.32    0.5475     20.600    -23.834
25       59.98089   3.10048  1.808095   22.76    0.6307     22.718     53.382
26     -155.70993    (可変)                                 23.460           
27      -97.95469   3.39308  1.639999   60.08    0.5370     26.824     81.814
28      -34.67317   0.15000                                 27.639           
29      491.31243   2.91139  1.487490   70.23    0.5300     28.866    128.221
30      -71.75692    (可変)                                 29.145           
31         ∞       0.50000                                 29.504           
32       45.59594   6.02874  1.720467   34.71    0.5834     29.940     45.454
33     -112.46912   1.00000  1.858956   22.73    0.6284     29.414    -57.895
34       91.18764  36.50000                                 28.881           
35       29.29473   5.44923  1.487490   70.23    0.5300     27.270     82.065
36      101.78622   0.50000                                 26.208           
37       48.47612   1.00000  2.003300   28.27    0.5980     25.638    -41.613
38       22.29798   5.51647  1.438750   94.93    0.5340     24.261     48.892
39     -559.29770   0.32982                                 23.930           
40       54.00478   5.08040  1.438750   94.93    0.5340     23.432     49.404
41      -35.31694   1.00000  2.003300   28.27    0.5980     22.797    -31.731
42      357.70234   0.18964                                 22.689           
43       65.53391   3.42232  1.892860   20.36    0.6393     22.683     44.435
44     -100.96530   4.50000                                 22.376           
45         ∞      33.00000  1.608590   46.44    0.5664     40.000           
46         ∞      13.20000  1.516330   64.14    0.5353     40.000           
47         ∞       7.03000                                 40.000           
像面        ∞
非球面データ
第17面
K = 6.12939e+000  A 4= 8.78733e-006  A 6=-6.11274e-008 
A 8= 1.07440e-009  A10=-8.46642e-012  A12= 2.26499e-014  
【０１００】
各種データ
ズーム比     20.00 
焦点距離       8.00    36.20   160.00  
Fナンバー      1.90     1.90     2.70  
半画角        34.51     8.64     1.97  
像高           5.50     5.50     5.50  
レンズ全長   273.83   273.83   273.83  
BF             7.03     7.03     7.03  
d16            0.72    36.74    51.04  
d23           56.38     9.62     3.53  
d26            4.68    11.26     1.76  
d30            1.00     5.16     6.46  
入射瞳位置    51.28   195.37   664.60  
射出瞳位置  -509.77  -509.77  -509.77  
前側主点位置  59.15   229.04   775.06  
後側主点位置  -0.97   -29.17  -152.97  
ズームレンズ群データ
群  始面    焦点距離  レンズ構成長  前側主点位置  後側主点位置
1    1      67.39        58.29        35.15         -0.33
2   17     -13.33        17.14         0.59        -12.00
3   24     -44.48         4.11        -0.57         -2.89
4   27      49.39         6.50         3.46         -0.70
5   31      53.41       117.98        47.74        -59.88
単レンズデータ
レンズ  始面  焦点距離
1       1   -115.61
2       3   -345.41
3       5    156.12
4       7    226.49
5       9   -541.49
6      11    136.40
7      13    298.29
8      15    227.16
9      17    -14.29
10      19     15.59
11      20    -10.81
12      22     40.01
13      24    -23.78
14      25     53.00
15      27     79.53
16      29    129.04
17      32     45.33
18      33    -56.43
19      35     80.21
20      37    -39.25
21      38     46.87
22      40     48.82
23      41    -29.54
24      43     40.14
25      45      0.00
26      46      0.00
【０１０１】
【表１】
2018004665.tif 000004
【符号の説明】
【０１０２】
Ｕ１      第１レンズ群
Ｕ２      第２レンズ群
Ｕ３      第３レンズ群
Ｕ４      第４レンズ群
Ｕ４１    第４１レンズ群
Ｕ４２    第４２レンズ群
【図１】
2018004665.tif 000005
【図２】
2018004665.tif 000006
【図３】
2018004665.tif 000007
【図４】
2018004665.tif 000008
【図５】
2018004665.tif 000009
【図６】
2018004665.tif 000010
【図７】
2018004665.tif 000011
【図８】
2018004665.tif 000012
【図９】
2018004665.tif 000013
【図１０】
2018004665.tif 000014